(57)【特許請求の範囲】
【請求項１】
容器口部に螺着される筒状のスカート壁を天壁の外周部に垂下してなるキャップ本体と、破断可能なブリッジを介してスカート壁の下部に連結されたタンパーエビデンスバンドと、このタンパーエビデンスバンドの内面に連設されて、容器口部の突条に下方から係止する拡径方向に弾性変形可能な係止部材とを備えた合成樹脂製のピルファープルーフキャップであって、前記タンパーエビデンスバンドに、バンド下部側に連結部分を残す状態で、周方向に所定の間隔を隔てて２本のスリットを形成し、このスリット間のバンド部分をして下方に引き倒すことができ、かつ、前記連結部分の少なくとも一方を分断するためのタブとし、さらに、前記係止部材が、上窄まりで連続蛇腹状を呈するフラップ状であって、この係止部材に、タンパーエビデンスバンドに形成の前記２本のスリットとほゞ同じ位相でスリットを形成して成ることを特徴とするピルファープルーフキャップ。
【請求項２】
２本のスリットのうち、一方のスリットの深さを他方のスリットの深さよりも深く形成して成る請求項1に記載されたピルファープルーフキャップ。
【発明の詳細な説明】
【０００１】
【発明の属する技術分野】
本発明は、容器口部を密封するための合成樹脂製のピルファープルーフキャップに関する。
【０００２】
【従来の技術】
上記のピルファープルーフキャップは、合成樹脂製やガラス製の容器口部に装着されて、栓抜きを要しないで、手回しで開栓可能に構成されたものであって、容器口部に螺着される筒状のスカート壁を天壁の外周部に垂下してなるキャップ本体と、破断可能なブリッジを介してスカート壁の下部に連結されたタンパーエビデンスバンド（以下、ＴＥバンドと言う。）と、このＴＥバンドの内面に連設されて、容器口部の突条に下方から係止する拡径方向に弾性変形可能な係止部材とを備えて成るものがあり、かつ、係止部材は、上窄まりで連続蛇腹状を呈するフラップ状のものや、閉栓のキャップ回転方向で後退角を有せしめた多数の舌片状のものから成るものがある。
【０００３】
そして、上記のキャップには、容器口部に螺着されるキャップ本体の天壁により、容器口部の上端に圧着される口部封止用の天板と、この天板の周縁部から下方に垂下して容器口部の内周面に密接する中足とから成る合成樹脂製のパッキンが備えられる。
【０００４】
上記構成のピルファープルーフキャップによれば、係止部材が柔軟性を有して拡径方向に弾性変形可能であることから、キャップを容器口部に螺着する閉栓時には、係止部材が容器口部の係止突条を容易に乗り越えることになり、閉栓完了の状態では、係止部材が係止突条に係止する姿勢に復元するのであって、閉栓時におけるブリッジの破断は確実に防止される。
【０００５】
一方、開栓に際しては、容器口部からのキャップの螺脱に伴って、先ずは係止部材が係止突条の下方に係止することでブリッジが切断され、次いで、ＴＥバンドを残してのキャップ本体の螺脱に伴って、スカート壁の内部に設けたねじ山上端によってパッキンの天板が持ち上げられ、これに伴って中足が容器口部から抜け出すのであって、ここで始めてパッキンによる容器の気密が解除されるのであり、従って、ブリッジが切断されない限りは容器の気密が確実に保持されることから、ブリッジの切断を伴わない例えば悪戯や不注意によるキャップの僅かな開栓(所言胃ちょい回し)によるガス漏れや外気の吸い込み、或いは内容物の漏れ出しが確実に防止される。
【０００６】
ここで、上記構成のピルファープルーフキャップは、一般には、硬質で高強度の性状を示すポリエチレンやポリプロピレンなどの合成樹脂材料によって、例えばインジェクション成形されており、このキャップを装着する容器は、がラス製であったり合成樹脂製であったりし、かつ、合成樹脂製の場合は、成形性ならびに保形性が優れることから、ポリエチレンテレフタレートやポリスチレンなどの合成樹脂材料が選択される。
【０００７】
ところで、近年では、合成樹脂製品の焼却による二酸化炭素の発生と、これに伴う地球の温暖化、更には、ダイオキシン類の発生など、地球環境の破壊つまりプラスチック公害を極力防止する上で、合成樹脂製の容器を資源ゴミとして分別回収し、ガラス製の容器についても、これを分別回収して、これらをリサイクルするように行政指導が成されるようになっている。
【０００８】
【発明が解決しようとする課題】
この分別回収に際しては、容器とは材質の異なるキャップ本体の取り外しに加えて、容器口部に残されたＴＥバンドについても、これが容器とは材質が異なることから、容器口部から取り外すことが重要であるが、ＴＥバンドは、硬質で高強度であることに加えて、容器口部の突条に下方から係止する係止部材を備えていることから、簡単には取り外すことができないのであった。
【０００９】
このため、従来では、カッターナイフやニッパーなどの工具を用いて、ＴＥバンドの一部を分断し、ＴＥバンドの環状を切って容器口部から取り外したり、マイナスドライバー等の工具をＴＥバンドと容器口部との隙間に差し込んで、無理やり容器口部の突条を乗り越えさせることで、ＴＥバンドを容器口部から取り外しており、いずれにしても、工具を用いない限りはＴＥバンドの取り外しが不可能であった。
【００１０】
上記とは別なる構成のピルファープルーフキャップとして、開栓時にブリッジの一部を残すように、キャップ本体の下部にＴＥバンドを連設すると共に、このＴＥバンドに、このバンドを開栓に伴って周方向で分断させる機能を有せしめて、分断されたＴＥバンドをキャップ本体にくっつけたままで、キャップ本体を開栓できるようにしたものがある。
【００１１】
かゝる構成のピルファープルーフキャップによれば、ＴＥバンドが開栓に伴って分断さ
れ、かつ、容器口部から取り除かれることから、上記の分別回収にとっては好適であるが、容器の内容物を使い切るまでの間は、ＴＥバンドが閉栓の邪魔になることから、このバンドをキャップ本体から取り外す必要があり、この取り外しには、やはりハサミやナイフなどの工具を必要とし、或いは、手で引き千切った際には、キャップ本体に鋭利な引き千切りの突起が残って、キャップ本体を掴んだ際に怪我をする危険性があった。
【００１２】
本発明は、かゝる実情に鑑みて成されたものであって、その目的は、ＴＥバンドを容器口部に残す開栓タイプのピルファープルーフキャップを対象にして、特に工具を用いなくても、ＴＥバンドを簡易に取り外せるものにして提供する点にある。
【００１３】
【課題を解決するための手段】
上記の目的を達成するために、本発明が講じた技術的手段は次の通りである。即ち、本発明は、容器口部に螺着される筒状のスカート壁を天壁の外周部に垂下してなるキャップ本体と、破断可能なブリッジを介してスカート壁の下部に連結されたタンパーエビデンスバンドと、このタンパーエビデンスバンドの内面に連設されて、容器口部の突条に下方から係止する拡径方向に弾性変形可能な係止部材とを備えた合成樹脂製のピルファープルーフキャップであって、前記タンパーエビデンスバンドに、バンド下部側に連結部分を残す状態で、周方向に所定の間隔を隔てて２本のスリットを形成し、このスリット間のバンド部分をして下方に引き倒すことができ、かつ、前記連結部分の少なくとも一方を分断するためのタブとし、さらに、前記係止部材が、上窄まりで連続蛇腹状を呈するフラップ状であって、この係止部材に、タンパーエビデンスバンドに形成の前記２本のスリットとほゞ
同じ位相でスリットを形成して成る点に特徴がある（請求項１)。
【００１４】
上記の特徴構成によれば、容器口部に残ったＴＥバンドの取り外しに際して、容器口部にＴＥバンドを残した容器を手で固定した状態で、スリット間のバンド部分を下方に引き倒すのであって、これによってバンド部分両側の連結部分が捩じられることで、連結部が脆性破壊を起こすほどに性状的に脆くなる。
【００１５】
一方、バンド部分の下方への引き倒しによって、円弧状のバンド部分の下縁部が平面視で直線状に切り換わり、これに伴って、ＴＥバンドの中心から直線状の下縁部までの最短寸法がＴＥバンドの半径よりも短くなり、具体的には、短尺化による寸法とＴＥバンドの半径寸法との合計寸法が、容器口部の外径寸法よりも小さくなって、その寸法差の分、バンド部分が容器口部の外方に押し出されるようになり、この押し出し力が、上記の脆くなった連結部分に剪断の応力として加わることになる。
【００１６】
この吏断応力によって、バンド部分両側の連結部分の一方が破壊されて、ＴＥバンドの環状が分断されることから、後はバンド部分を掴み持って容器口部の外側及び上方に持ち上げて、ＴＥバンドに容器口部の突条を乗り越えさせることで、工具を用いることなく簡単に、ＴＥバンドを容器口部から取り外すことができる。
【００１７】
この際、円弧状のバンド部分が変形を伴って、上記の寸法差が小さくなった場合や、或いは、スリット間のバンド部分の周長によっては、大きな剪断応力を得難くて、バンド部分を下方に引き倒すだけでは、連結部分を破壊によって分断し切れないことがあるが、この際は、バンド部分をタブにして引っ張ることで、連結部分を分断することができるのであって、やはり工具を用いることなく簡単に、ＴＥバンドを容器口部から取り外すことができるのである。
【００１８】
必要に応じて、一方のスリットの深さを他方のスリットの深さよりも深く形成すれば（請求項２)、連結部分の破壊による分断を一方のスリット側に特定することができるのであって、これによって連結部分の両方の破壊防止が達成されることから、大部分のＴＥバンドを残してのタブだけの分離が生じることはないのである。
【００１９】
そして、係止部材が、上窄まりで連続蛇腹状を呈するフラップ状のものであるので、上記のスリットをＴＥバントにのみ形成した場合は、バント部分の下方への引き倒しによる剪断応力では、フラップ状の係止部材を分断することが困難な場合があり、また、バンド部分をタブにして係止部材を引き千切るにしても強い力を必要とするが、これについては、連続蛇腹状を呈するフラップ状の係止部材に、ＴＥバンドに形成のスリットとほゞ同じ位相でスリットを形成することで解消してある。
【００２０】
【発明の実施の形態】
以下、本発明の実施の形態を図面に基づいて説明する。図１〜図３は合成樹脂製のピルファープルーフキャップＣを示し、例えばインジェクション成形法によって形成されている。
【００２１】
このキャップＣの装着対象である容器１は、ガラス製であったり合成樹脂製であったりし、の容器１の口部２には、その外面部に、雄ねじ部３と、この雄ねじ部３の下部に環状の突条４とが形成されている。
【００２２】
ピルファープルーフキャップＣを示す図１〜図３において、図中の符号５はキャップ本体で、天壁６とその外周部から垂下したスカート壁７とから成り、かつ、スカート壁７の外面部にはローレット溝８が形成され、内面部には、容器口部２の雄ねじ部３に螺着される雌ねじ部９が形成されている。
【００２３】
１０は破断可能なブリッジ１１を介してスカート壁７の下部に連結されたＴＥバンドで、前記ブリッジ１１は、例えば次のように形成されている。即ち、インジェクション成形法等により、予めスカート壁７とＴＥバンド１０との間に、スカート壁７の下部内面とＴＥバンド１０の上部内面とにわたって、これらを連ねる連結片ａを周方向に所定間隔おきに複数個（例えば２５個）形成して、キャップ成形後に、その連結片ａに対応する外面側からカッターにより、連結片ａの一部を残して、全周にわたってスリット１２を加工することにより、ブリッジ１１を形成しているのである。
【００２４】
１３はＴＥバンド１０の内面に形成された拡径方向に弾性変形可能な係止部材で、ＴＥバンド１０の下端から内側斜め上方に向けて折り曲げられて、周方向で連続した上窄まりの連続蛇腹状を呈するフラップ状に形成されており、この係止部材１３とＴＥバンド１０とが形成するＶ字状環状溝ｂの底部側には、周方向に所定の間隔を隔てて排液用の小さな開口Ｃが形成されている。
【０２５】
この係止部材１３は、閉栓時には拡径方向に弾性変形して環状突条４を乗り越え、閉栓状態では、環状突条４の下方に係止可能な姿勢に弾性復帰し、かつ、開栓時には、環状突条４に下方から係止するように構成されている。
【００２６】
１４は容器口部２に密嵌される合成樹脂製のパッキンで、容器口部２に螺着されるキャップ本体５の天壁６により、容器口部２の上端に圧着される口部封止用の天板１５と、この天板１５の周縁部から下方に垂下して容器口部２の内周面に密接する中足１６とから成る。
【００２７】
上記構成のピルファープルーフキャップＣによれば、上窄まりの連続蛇腹状を呈するフラップ状の係止部材１３が拡径方向に弾性変形可能であって、閉栓時には容器口部２の環状突条４を容易に乗り越えることから、ブリッジ１１の破断は確実に防止される。
【００２８】
そして、開栓に際して、キャップＣを開栓方向に回転させると、容器口部２の環状突条４に係止部材１３が下方から係止して、ＴＥバンド１０の持ち上げが阻止されることから、キャップ本体５の回転に伴って、このキャップ本体５に連設のブリッジ１１が切断されることになる。
【００２９】
ここで、容器口部２に密嵌されたパッキン１４は、開栓に伴ってスカート壁７に設けた雌ねじ部９のねじ山によって持ち上げられ、この持ち上げに伴ってパッキン１４の中足１が容器口部２から抜け出すのであって、パッキン１４の持ち上げの開始がブリッジ１１の切断後に成されるように、環状突条４と雌ねじ部９との配置位置を特定している。
【００３０】
即ち、キャップＣの開栓方向への回転によって、先ずは容器口部２の環状突条４に係止部材１３が下方から係止して、ブリッジ１１が切断され、その切断後にパッキン１４が雌ねじ部９のねじ山によって持ち上げられて、ここで始めてパッキン１４による容器１の気密が解除されるように構成している。
【００３１】
従って、ブリッジ１１が切断されない限りは容器１の気密が確実に保持されることから、ブリッジ１１の切断を伴わない例えば悪戯や不注意によるキャップＣの僅かな開栓（所謂ちょい回し）によるガス漏れや外気の吸い込み、或いは内容物の漏れ出しが確実に防止されるようになっている。
【００３２】
これまでの構成にかゝるピルファープルーフキャップＣは、従来のＴＥバンド１０を容器口部２に残す開栓タイプそのもののキャップであって、本発明では、かゝる構成のピルファープルーフキャップＣにおいて、図３及び図４に示すように、ＴＥバンド１０に、このバンド下部側に連結部分ｄ，ｄを残す状態で、周方向に所定の間隔を隔てて２本のスリット１７，１７を形成し、かつ、上窄まりの連続蛇腹状を呈するフラップ状の係止部材１３についても、ＴＥバンド１０に形成のスリット１７，１７とほゞ同じ位相でスリット１８，１８を形成して、ＴＥバンド１０に形成のスリット１７，１７間のバンド部分１０ａによって、連結部分ｄ，ｄの少なくとも一方を分断するためのタブを構成しているのである。
【００３３】
具体的には、市場に広く出回っているＴＥバンド１０の外径が約３４ｍｍのピルファープルーフキャップＣを対象にして、このキャップＣの成形後に、１〜２ｍｍ程度の連結部分ｄ，ｄを残す状態で、キャップ外面側からカッターにより、スカート壁７の下端側（例えば連結片ａの上端よりも下端側）とＴＥバンド１０および係止部材１３に、周方向で１５〜２０ｍｍの間隔を隔てて２本のスリット１７，１７、１８，１８を形成しているのである。
【００３４】
このＴＥバンド１０のバンド部分１０ａの周長を１５ｍｍに設定した場合の中心角θは約５２度であり、バンド部分１０ａの周長を２０ｍｍに設定した場合の中心角θは約６９度である。
【００３５】
上記の構成において、図５（Ａ），（Ｂ）に示すように、容器口部２を閉栓しているキャップＣを開栓して、キャップ本体５を取り外した状態で、容器口部２に残ったＴＥバンド１０を取り外すに際して、容器口部２にＴＥバンド１０を残した容器１を手で固定した状態で、図５（Ｂ）及び図６（Ａ），（Ｂ）に示すように、スリット１７，１７間のバンド部分１０ａを下方に引き倒すのであって、これによってバンド部分両側の連結部分ｄ，ｄが捩じられることで、連結部分ｄ，ｄは脆性破壊を起こすほどに性状的に脆くなる。
【００３６】
そして、円弧状のバンド部分１０ａが変形を伴わないものとするが、このバンド部分１０ａの下方への引き倒しによって、図６（Ｃ）に示すように、円弧状のバンド部分１０ａの下縁部が平面視で直線状に切り換わることから、ＴＥバンド１０の中心から直線状の下縁部までの最短寸法Ｌ１がＴＥバンド１０の半径よりも短くなり、具体的には、短尺化による寸法Ｌ１（バンド部分１０ａの周長を２０ｍｍに設定した場合は約１４ｍｍであって、以下、同じく周長を２０ｍｍに設定した場合の寸法を表示している。)とＴＥバンド１０の半径寸法Ｌ２（約１７ｍｍ）との合計寸法が、容器口部２の外径寸法Ｌ３（約３０ｍｍ）よりも小さくなる。
【００３７】
この結果、図６（Ｃ）では、容器口部２が存しないものとして仮想線で示しているように、寸法差Ｌ４（約２ｍｍ）の分、直線状に切り変わったバンド部分１０ａの下縁部が、容器口部２の中心側に引き戻されるようになり、ここで、容器口部２が存するものとすると、上記の寸法差Ｌ４の分、バンド部分１０ａが容器口部２の外方に押し出されるようになり、この押し出し力が、上記の脆くなった連結部分ｄ，ｄに剪断の応力として加わることになる。
【００３８】
この剪断応力によって、バンド部分１０ａ両側の連結部分ｄ，ｄの一方が破壊されて、ＴＥバンド１０の環状が分断されることから、後は図５（Ｃ）の状態のバンド部分１０ａを掴み持って、容器口部２に大部分が残っているバント部分１０ｂを容器口部２の外方及び上方に持ち上げ、ＴＥバント１０に容器口部２の突条を乗り越えさせることで、工具を用いることなく簡単に、ＴＥバンド１０を容器口部２から取り外すことができる。
【００３９】
上記の剪断応力のみによっては、連結部分ｄの破壊が成されない場合があり、また、上記の連結部分ｄの破壊では、円弧状のバンド部分１０ａが変形を伴わないものとしているが、円弧状のバンド部分１０ａが変形を伴って、上記の寸法Ｌ４差が小さくなった場合は、バンド部分１０ａの下方への引き倒しによる大きな剪断応力を得難くなつて、バンド部分１０ａを下方に引き倒すだけでは、連結部分ｄを破壊によって分断し切れないこともあるが、この際は、バント部分１０ａを掴んで引っ張ることで、連結部分ｄを分断することができるのであり、やはり工具を用いることなく簡単に、ＴＥバンド１０を容器口部２から取り外すことができる。
【００４０】
上記のスリット１７，１７間におけるバンド部分１０ａは、上述したように、市場に広く出回っているＴＥバンド１０の外径が約３４ｍｍのピルファープルーフキャップＣを対象にした場合、その周長を１５ｍｍよりも短くして、例えば１０ｍｍ程度にすると、バンド部分１０ａに指を引っ掛けることが困難になり、逆に周長を２０ｍｍよりも長くして、例えば２５ｍｍ程度にすると、バンド部分１０ａに指を引っ掛けて、これを下方に引き倒すことが困難になることから、バンド部分１０ａの周長を１５〜２０ｍｍとしたのであるが、１２〜２３ｍｍの範囲にするなど、バンド部分１０ａに指を引っ掛けて、これを下方に引き倒すことが楽に行える範囲ならば、周長の範囲設定は任意である。
【００４１】
因みに、ＴＥバンド１０の外径が例えば４１ｍｍのピルファープルーフキャップＣを対象にして、バンド部分１０ａの周長を１５〜２０ｍｍ（中心角θは約４０〜６０度)の囲に設定したところ、バンド部分１０ａに指を引っ掛けて、これを楽に下方に引き倒すことができたのである。
【００４２】
この他にも、ＴＥバンド１０の外径が例えば２３ｍｍのピルファープルーフキャップＣを対象にして、バンド部分１０ａの周長を１５〜２０ｍｍ（中心角θは約７０〜１００度）の範囲に設定したところ、上記と同様に、バンド部分１０ａに指を引っ掛けて、これを楽に下方に引き倒すことができたのであり、即ち、バンド部分１０ａの好ましい周長の範囲は、ＴＥバンド１０の外径によって左右されるもので、一義的に決定されるものではないことが確認されたのである。
【００４３】
上記の実施の形態では、ＴＥバンド１０の連結部分ｄ，ｄを０．５〜２ｍｍ程度にして、互いにほゞ等しい寸法分で残しており、従って、上記の分断に際して、二箇所の連結部分ｄ，ｄの何れが分断されるか特定されないが、図７に示すように、例えば一方の連結部分ｄを１ｍｍとし、他方の連結部分ｄを２ｍｍにするなど、スリット１７，１７の深さを互いに異ならせることで、連結部分の破壊による分断を一方のスリット側に特定することが可能となり、これによって連結部分ｄ，ｄの同時破壊も防止されるのであって、大部分のＴＥバンド１０ｂを残してのバンド部分１０ａのみの分離が解消されることになる。
【００４４】
尚、ＴＥバンド１０に残す連結部分ｄ，ｄの寸法は、０．５〜２ｍｍ程度の範囲に限られるものではなく、バンド部分１０ａに指を引っ掛けて、これを下方に引き倒すことと、バンド部分１０ａを引っ張って連結部分ｄ，ｄを破壊することを楽に行える範囲ならば、連結部分ｄ，ｄの寸法を０．５〜５mm程度にするなど、寸法の範囲設定は任意である。
【００４５】
【００４６】
【００４７】
尚、上記の実施の形態では、キャップＣの成形後に、スリット１７，１７、１８，１８をカッターによって形成しているが、ピルファープルーフキャップＣを例えばインジェクション成形する際に、スリット１７，１７、１８，１８を同時に成形するようにしてもよいのである。
【００４８】
【発明の効果】
以上説明したように本発明によれば、バンド部分の下方への引き倒しによって、バンド部分の下縁部が平面視で直線状に切り換わり、これに伴って、ＴＥバンドの中心から直線状の下縁部までの最短寸法がＴＥバンドの半径よりも短くなり、この短尺化による寸法とＴＥバンドの半径寸法との合計寸法が、容器口部の外径寸法よりも小さくなって、その寸法差の分、バンド部分が容器口部の外方に押し出されるようになり、この押し出し力が、上記の脆くなった連結部分に剪断の応力として加わることによって、或いはまた、バンド部分それ自体のタブとしての機能によって、容器口部に残ったＴＥバンドを、特に工具を用いなくても簡易に取り外し可能な、従って、合成樹脂製やガラス製の容器を資源ゴミとして分別回収する上で好適なピルファープルーフキャップが提供される。
【図面の簡単な説明】
【図１】  容器口部に螺着したピルファープルーフキャップの全体図で、左半分を断面図示している。
【図２】  （Ａ）はピルファープルーフキャップの側面図、（Ｂ）はピルファープルーフキャップの縦断側面図である。
【図３】  図２（Ｂ）における矢符Ｘ−Ｘ線の断面図である。
【図４】  図１における矢符Ｙ−Ｙ線の断面図である。
【図５】  （Ａ）〜（Ｃ）はキャップ本体の取り外し並びにバンド部分（タブ）の引き千切りの説明図である。
【図６】  （Ａ）は容器口部に残ったＴＥバンドの断面図、（Ｂ）はバンド部分（タブ）の下方への引き倒し状態を示す断面図、（Ｃ）はバンド部分（タブ）を下方に引き倒した際の各部寸法の関連図である。
【図７】  スリットの深さを異ならせた別の実施の形態によるピルファープルーフキャップの側面図である。
【符号の説明】
２…容器口部、４…突条、５…キャップ本体、６…天壁、７…スカート壁、１０…ＴＥバンド、１０ａ…バンド部分、１１…ブリッジ、１３…係止部材、１７，１８…スリット、ｄ…連結部分。
【図１】
0004643811.tif 000002
【図２】
0004643811.tif 000003
【図３】
0004643811.tif 000004
【図４】
0004643811.tif 000005
【図５】
0004643811.tif 000006
【図６】
0004643811.tif 000007
【図７】
0004643811.tif 000008